(57)【要約】【課題】  電気掃除機を素早く使用することができ、かつ軽量で長時間の使用にも対応できる電気掃除機を提供する。【解決手段】  電気掃除機本体１００と、吸引ホース２００と、手元ハンドル部３００と、延長管４００と、吸口体５００とから構成され、電気掃除機本体１００は、集塵装置１１３と送風装置１１４とハンドル部１１５とを有する掃除機本体部１１０と、掃除機本体部１１０を着脱可能に支持するキャニスター部１２０とを備え、電源部は、掃除機本体部１１０に設けられた第１電源部１１８と、キャニスター部１２０に設けられた第２電源部１９０とで構成される。【選択図】図６
2016067459.tif 000002
【特許請求の範囲】
【請求項１】
集塵装置と送風装置と電源部を備えた電気掃除機本体と、一端が電気掃除機本体に取付けられて前記集塵装置に連通する吸引ホースと、一端が前記吸引ホースの他端に取り付けられて前記吸引ホースに連通する手元ハンドル部と、一端が前記手元ハンドル部の他端に取り付けられて前記手元ハンドル部に連通する延長管と、一端が前記延長管の他端に取り付けられて該延長管に連通する吸口体とから構成され、
前記電気掃除機本体は、前記集塵装置と前記送風装置とハンドル部とを有する掃除機本体部と、前記掃除機本体部を着脱可能に支持するキャニスター部とを備え、
前記電源部は、前記掃除機本体部に設けられた第１電源部と、前記キャニスター部に設けられた第２電源部とで構成されている
ことを特徴とする電気掃除機。
【請求項２】
請求項１に記載の電気掃除機において、
前記キャニスター部は、前記掃除機本体部の充電を行う複数の充電端子を備えている
ことを特徴とする電気掃除機
【請求項３】
請求項２に記載の電気掃除機において、
前記複数の充電端子は、前記キャニスター部の上面の後方に設けられた第１充電端子と、前記キャニスター部の上面の前方に設けられた第２充電端子とから構成され、
前記第２充電端子は、前記第１充電端子よりも突出して設けられている
ことを特徴とする電気掃除機。
【請求項４】
請求項１から３の何れかに記載の電気掃除機において、
前記キャニスター部は、その外周面に沿ってＵ字状に形成されたホース収納部を備えている
ことを特徴とする電気掃除機。
【請求項５】
請求項１に記載の電気掃除機において、
前記掃除機本体部と前記キャニスター部との固定および固定解除を行う固定手段を備え、
前記固定手段は、前記ハンドル部に設けられている
ことを特徴とする電気掃除機。
【発明の詳細な説明】
【技術分野】
【０００１】
本発明は、電気掃除機に関するものであり、特に、１台で複数の清掃形態を取ることが可能なコードレス式の電気掃除機に関するものである。
【背景技術】
【０００２】
従来、１台で複数の清掃形態を取ることが可能なコードレス式の電気掃除機として、例えば、特許文献１や特許文献２に記載の電気掃除機が知られている。
【０００３】
特許文献１に記載の電気掃除機は、１台でキャニスター型掃除機とスティック型掃除機とハンディ型掃除機として使用できるものであり、吸口体や延長管、吸引ホースを着脱することにより、電気掃除機を清掃場所に合わせた形態にして掃除を行うようになっている。
【０００４】
一方、特許文献２に記載の電気掃除機は、着脱可能なハンディ型掃除機を備えた自走式掃除機であり、テーブルや棚といった高所を掃除する際に、掃除機本体からハンディ型掃除機を取り外して掃除を行うようになっている。
【先行技術文献】
【特許文献】
【０００５】
【特許文献１】特開２００３−２９００９８号公報
【特許文献２】特開２００７−２８２８３４号公報
【発明の概要】
【発明が解決しようとする課題】
【０００６】
上記特許文献１に記載の電気掃除機は、スティック型掃除機やハンディ型掃除機で使用する際に、掃除機本体を持ち上げる必要があるため、長時間使用する場合に使用者の手や腕に負担がかかる可能性がある。
【０００７】
また、上記特許文献１に記載の電気掃除機は、キャニスター型掃除機として使用することを基本としており、スティック型掃除機やハンディ型掃除機として使用するには、吸口体や延長管、吸引ホースを着脱する必要があるため、スティック型掃除機やハンディ型掃除機を素早く使用することについては配慮されていない。
【０００８】
一方、上記特許文献２に記載の電気掃除機は、掃除機本体からハンディ型掃除機を取り外すことができるので、ハンディ型掃除機を素早く使用することができるようになっている。しかしながら、上記特許文献２に記載の電気掃除機は、電源部がハンディ型掃除機に設けられており、自走式掃除機として使用する際には、この電源部から電力が供給されるため、掃除機を長時間の使用することについては配慮されていない。また、上記特許文献２には、スティック型掃除機として使用することについて開示されていない。
【０００９】
そこで、本発明の目的は、電気掃除機を素早く使用することができ、かつ軽量で長時間の使用にも対応できる電気掃除機を提供することにある。
【課題を解決するための手段】
【００１０】
上記目的を達成するため、本発明に係る電気掃除機は、集塵装置と送風装置と電源部を備えた電気掃除機本体と、一端が電気掃除機本体に取付けられて前記集塵装置に連通する吸引ホースと、一端が前記吸引ホースの他端に取り付けられて前記吸引ホースに連通する手元ハンドル部と、一端が前記手元ハンドル部の他端に取り付けられて前記手元ハンドル部に連通する延長管と、一端が前記延長管の他端に取り付けられて該延長管に連通する吸口体とから構成され、前記電気掃除機本体は、前記集塵装置と前記送風装置とハンドル部とを有する掃除機本体部と、前記掃除機本体部を着脱可能に支持するキャニスター部とを備え、前記電源部は、前記掃除機本体部に設けられた第１電源部と、前記キャニスター部に設けられた第２電源部とで構成されたことを特徴とする。
【発明の効果】
【００１１】
本発明によれば、電気掃除機を素早く使用することができ、かつ軽量で長時間の使用にも対応できる電気掃除機を提供することができる。
【図面の簡単な説明】
【００１２】
【図１】本発明の実施形態に係る電気掃除機の概略構成を示す図である。
【図２】電気掃除機の使用状態の一例を示す図である。
【図３】電気掃除機の使用状態の一例を示す図である。
【図４】掃除機本体部の概略構成を示す図である。
【図５】キャニスター部の概略構造を示す側面図である。
【図６】電気掃除機本体の概略構造を示す図である。
【図７】電気掃除機の収納状態を示す図である。
【発明を実施するための形態】
【００１３】
以下、図１から図７を参照して、この発明に係る電気掃除機を具体的に説明する。なお、同様な部位や矢印などは同一符号をもって示し、重複した説明を省略する。
【００１４】
まず、図１から図３を参照して、この発明に係る電気掃除機の概略構造を説明する。図１は、本発明の実施形態に係る電気掃除機の概略構成を示す図である。図２と図３は、電気掃除機の使用状態の一例を示す図である。
【００１５】
図１において、符号１で総括的に示すのはキャニスター型の電気掃除機であり、集塵装置１１３と送風装置１１４と図示しない電源部とを備えた電気掃除機本体１００と、一端が電気掃除機本体１００に取付けられて集塵装置１１３に連通する柔軟性のある吸引ホース２００と、一端が吸引ホース２００の他端と接続されて吸引ホース２００に連通する手元ハンドル部３００と、一端が手元ハンドル３００の他端に取り付けられて手元ハンドル部３００に連通する延長管４００と、一端が延長管４００の他端に取り付けられて延長管４００に連通する吸口体５００とから構成される。また、電気掃除機１は、延長管４００の中心軸Ｐ１に沿って手元ハンドル部３００をひねることで、吸口体５００の向きを変えて掃除を行えるようになっている。
【００１６】
電気掃除機本体１００は、集塵装置１１３と送風装置１１４とハンドル部１１５とを備えた掃除機本体部１１０と、この掃除機本体部１１０を着脱可能に支持するキャニスター部１２０とから構成され、図示しない複数の車輪により吸引ホース２００を介して移動させることができる。また、電気掃除機本体１００の内部に設けられた電源部は、掃除機本体部１１０に設けられた第１電源部と、キャニスター部１２０の内部に設けられた第２電源部とから構成されている。この電気掃除機本体１００の運転制御は、吸引ホース２００に信号線を配線して、この信号線を介して手元ハンドル部３００から電気掃除機本体１００に操作信号を伝達することができる。
【００１７】
吸引ホース２００は、塵埃を集塵装置に搬送するための搬送通路としての機能と、電気掃除機本体１００を移動させるための移動引っ張り手段としての機能をもっている。吸引ホース２００の一端には、電気掃除機本体１００に着脱可能に接続される本体接続部２１１と、この本体接続部２１１に取り付けられる環状の支持具２１２が設けられている。また、吸引ホース２００の他端は、図示しない接続部材を介して手元ハンドル部３００と接続されるようになっている。
【００１８】
手元ハンドル３００は、吸引ホース２００と延長管４００を連通させる機能と、電気掃除機本体１００の運転制御機能及び移動機能と、吸口体５００の動きを制御する機能を備えている。この手元ハンドル３００は、延長管４００と吸引ホース２００とを連結する連結管部３１０と、連結管部３１０の上方に設けられたグリップ部３２０と、電気掃除機本体１００および吸口体５００の運転制御を行う操作スイッチ部３３０と、延長管４００の長さを調整するトリガースイッチ３４０と、手元ハンドル部３００と延長管４００との固定および固定を解除する固定解除部３５０とを備えている。以下、この実施形態では、手元ハンドル３００の延長管４００が接続される側を前方（矢印Ｖ１方向）、吸引ホース２００が接続される側を後方（矢印Ｖ２方向）と定義して説明する。
【００１９】
延長管４００は、一端が吸口体５００と接続される第１延長管４１０と、一端が連結管部３１０と接続される第２延長管４２０と、第１延長管４１０の他端と第２延長管４２０の他端とを固定、および固定を解除するロック機構４３０とから構成されている。また、延長管４００は、ロック機構４３０を操作して第１延長管４１０と第２延長管４２０の固定を解除することにより、第１延長管４１０と第２延長管４２０が相互に移動し、伸縮可能な構造となっている。なお、この実施形態では、第２延長管４２０に第１延長管４１０が収納される構造となっている。
【００２０】
吸口体５００は、塵埃を吸い込むための吸引口を底面に備えた吸口本体５１０と、吸口本体５１０と延長管４００を連結し、延長管４００を介して手元ハンドル部３００の動作を吸口本体５１０に伝達する自在連結部５２０とで構成されている。そして、吸口体５００は、ロック機構５３０を介して延長管４００の先端部に着脱可能に取り付けられている。また、吸口本体５１０は、回転清掃体（図示省略）と、この回転清掃体を駆動させる駆動装置（図示省略）とを内部に備えることができる。
【００２１】
吸口本体５１０の内部に回転清掃体と駆動装置を設ける場合、駆動機構を動作させるための操作信号を伝達する信号線を延長管４００に配線し、この信号線を介して手元ハンドル部３００からの操作信号を吸口本体５１０に伝達することができる。
【００２２】
自在連結部５２０は、延長管４００を上下に移動させる第１の腕部５２１と、延長管４００を左右に移動させる第２の腕部５２２とで構成され、手元ハンドル部３００の動きに対して、常に吸口本体５１０の底面を清掃面（床面）に接するように動作させる。また、自在連結部５２０は、吸口本体５１０から吸い込んだ塵埃を含む空気流が延長管４００に導かれるように、吸口本体５１０と延長管４００とを連通させている。
【００２３】
そして、この電気掃除機１は、手元ハンドル部３００（グリップ部４２０）を握って、吸口体５００をＶ１方向およびＶ２方向に動かして掃除を行うようになっている。また、掃除中に延長管４００の中心軸Ｐ１に沿って手元ハンドル部３００をひねることで、吸口体５００の向きを変えて掃除を行うことができるようになっている。
【００２４】
この実施形態に係る電気掃除機１の大きな特徴の１つは、掃除機本体部１１０をキャニスター部１２０に対して着脱可能に接続し、掃除機本体部１１０とキャニスター部１２０にそれぞれ電源部を設けた構成にある。具体的には、電源部を、掃除機本体部１１０に設けられた第１電源部と、キャニスター部１２０に設けられた第２電源部とで構成したことに特徴がある。
【００２５】
このような構成とすることにより、掃除機本体部１１０をキャニスター部１２０から取り外した状態では、図２で示すように、掃除機本体部１１０をハンディ型掃除機として使用することができるようになっている。また、キャニスター部１２０から取り外した掃除機本体部１１０を、延長管４００の一端に取り付けることにより、図３で示すように、スティック型掃除機として使用することができるようになっている。
【００２６】
つまり、この実施形態では、掃除機本体部１１０の着脱により、ハンディ型掃除機、スティック型掃除機、キャニスター型掃除機とすることができるようにしている。特に、ハンディ型掃除機やスティック型掃除機として使用する際には、キャニスター部１２０を持ち上げる必要がないので、掃除機の重量を軽くすることができる。しかも、掃除機本体部１１０の着脱により、ハンディ型掃除機やスティック型掃除機とすることができるので、掃除機を素早く使用することができる。
【００２７】
さらに、掃除機本体部１１０が独立した電源部（第１電源部）を有しているので、ハンディ型掃除機あるいはスティック型掃除機として使用する際に、コードレスで長時間使用することが可能となる。また、キャニスター型掃除機として使用する際には、第１電源部１１８および第２電源部１９０により電力供給が行われるので、より長時間の使用を可能とすることができる。
【００２８】
次に、図２から図７を参照して、掃除機本体の構造について説明する。図４は、掃除機本体部の外観図である。図５は、キャニスター部の外観図である。図６は、電気掃除機本体の内部構造を示す図であり、図６（ａ）が断面図、図６（ｂ）が部分拡大断面図である。図７は、電気掃除機の収納状態を示す図である。
【００２９】
図２および図４、図６において、掃除機本体部１１０は、内部に集塵装置１１３と送風装置１１４と第１電源部１１８とを備えた円筒部１１１と、この円筒部１１１に取り付けられたハンドル部１１５とから構成される。
【００３０】
集塵装置１１３は、円筒部１１１の内部前方に設けられた内筒１１２ａと、内筒１１２ａの後方（Ｖ２方向）に設けられた集塵かご１１２ｂと流路ケース１１２ｃ（図６参照）とから構成されている。また、集塵装置１１３は、送風装置１１４に対して着脱可能に設けられている。この集塵装置１１３を、送風装置１１４から取り外すことにより、集塵かご１１２ｂにたまった塵挨を捨てることができるようになっている。
【００３１】
送風装置１１４は、円筒部１１１の内部後方に設けられたファン１１６とモーター１１７とから構成されている。
【００３２】
第１電源部１１８は、円筒部１１１の内部後方に設けられ、モーター１１７の周囲に配置された充電可能なバッテリーにより構成されている。
【００３３】
また、円筒部１１１は、集塵装置１１３と送風装置１１４との間に設けられたフィルタ１４０と、底面後方に設けられた充電端子１７０（図６参照）とを備えている。
【００３４】
ハンドル部１１５は、集塵部１１３に連通する搬送路を構成する連結管部１１５ａと、連結管部１１５ａの上方に設けられたグリップ部１１５ｂと、掃除機本体部１１０と吸口体５００の運転制御を行う操作スイッチ部１１５ｃと、掃除機本体部１１０とキャニスター部１２０との固定および固定を解除する固定解除部１１５ｄとを備えている。また、連結管部１１５ａの先端近傍には、回転可能な補助ブラシ１１９が設けられており、掃除機本体部１１０をハンディ掃除機として使用する際には、接続口１４５を覆うように補助ブラシ１１９を回転させるようになっている（図２参照）。
【００３５】
図５および図６において、キャニスター部１２０は、上面に掃除機本体部１１０を収納する収納部１２１と、収納部１２１の前方に設けられ、接続口１４５と接続される接続部１２２と、収納部１２１の後方に設けられた第１充電端子１２３と、キャニスター部１２０の外周に沿って設けられたホース収納部１２５とを備えている。
【００３６】
このホース収納部１２５は、キャニスター部１２０の左右側面および背面、即ち、キャニスター部１２０の外周面に沿って形成された略Ｕ字形状の溝部であり、この溝部（ホース収納部１２５）に吸引ホース２００を巻きつけることで、吸引ホース２００が収納されるようになっている。
【００３７】
キャニスター部１２０の前部には、上方に向けて突出した突出部１２６が設けられている。この突出部１２６は、その上面１２６ａが湾曲した形態を備えており、湾曲した部分の中央に第２充電端子１２４が設けられている。
【００３８】
これにより、第１充電端子１２３よりも突出した位置（高い位置）に第２充電端子１２４を設けることができる。
【００３９】
接続部１２２は、上面に凹部１２７が形成されており、図６（ｂ）で示すように、この凹部１２７に固定解除部１１５ｄの先端部１１５ｆが嵌合することにより、掃除機本体部１１０とキャニスター部１２０が固定されるようになっている。また、掃除機本体部１１０とキャニスター部１２０との固定を解除するには、固定解除部１１５ｄを操作する（押し込む）ことにより、凹部１２７と先端部１１５ｆとの固定が解除され、掃除機本体部１１０をキャニスター部１２０から取り外すことができる状態となる。
【００４０】
図６において、キャニスター部１２０は、大車輪１８０と自在車輪１８１とを備えており、これらの車輪により電気掃除機本体１００を、吸引ホース２００を介して移動させることができる。
【００４１】
また、図６において、キャニスター部１２０は内部に第２電源部１９０を備えており、この第２電源部１９０から電線１９５を介して第１充電端子１２３と第２充電端子１２４に電力供給を行うことができるようになっている。なお、この実施形態では、第２電源部１９０をコードリール１９１と、コードリール１９１に巻きつけられる電源コード１９２と、コンセントプラグ１９３とから構成されている。
【００４２】
このような構成とすることにより、ハンディ型掃除機あるいはスティック型掃除機として使用する際に、第２電源部１９０が設けられたキャニスター部１２０を持ち上げる必要がないので、掃除機を軽くすることができ、操作性を良好にすることができる。
【００４３】
特に、この実施形態では、図７で示すように、スティック型掃除機の状態で充電すること、およびスティック型掃除機の状態で収納することができる点に特徴を備えている。具体的には、延長管４００の下面に設けられた図示しない充電端子を、キャニスター部１２０の前部に第１充電端子１２３よりも高い位置に配置された第２充電端子１２４と接触させることで、２つの充電端子が通電し、第２電源部１９０からの電力が電線１９５を介して供給されることで充電が行われるように構成されている。なお、この実施形態では、固定解除部４３０が設けられた面と対向する面を延長管４００の底面と定義している。
【００４４】
このような構成とすることで、キャニスター部１２０から取り外すだけでスティック型掃除機として使用することができるので、手早く（簡単に）掃除を行う際、例えば、日々の掃除を行う際に有効である。
【００４５】
一方、図７で示すように、スティック型掃除機の状態で収納する際には、延長管４００を突出部１２６に立て掛けることで、延長管４００に設けられた図示しない充電端子を第２充電端子１２４と接触させる。また、スティック型掃除機を使用する際は、突出部１２６に立て掛けた掃除機を、グリップ部１１５ｂを持って手前側に引き出すだけなので、掃除機を素早く手にすることができる。
【００４６】
また、図７で示すように、スティック型掃除機の状態で収納する際には、延長管４００から取り外した吸引ホース２００と手元ハンドル３００の収納方法も考慮する必要がある。
【００４７】
このため、本実施形態では、キャニスター部１２０に設けられたホース収納部１２５に吸引ホース２００を巻きつけると共に、手元ハンドル３００に設けられた引掛部３１４を環状の支持具２１２に引っ掛けることにより、吸引ホース２００と手元ハンドル３００を収納する構成としている。
【００４８】
このような構成とすることで、収納時に吸引ホース２００が大きくはみ出さないので、吸引ホース２００の収まりを良くすることができる。しかも、吸引ホース２００の収まりを良くすることにより、収納状態における形態がコンパクトになり、電気掃除機を壁際に寄せて収納することができる。
【００４９】
以上述べたように、本発明に係る電気掃除機は、集塵装置と送風装置と電源部を備えた電気掃除機本体と、一端が電気掃除機本体に取付けられて前記集塵装置に連通する吸引ホースと、一端が前記吸引ホースの他端に取り付けられて前記吸引ホースに連通する手元ハンドル部と、一端が前記手元ハンドル部の他端に取り付けられて前記手元ハンドル部に連通する延長管と、一端が前記延長管の他端に取り付けられて該延長管に連通する吸口体とから構成され、前記電気掃除機本体は、前記集塵装置と前記送風装置とハンドル部とを有する掃除機本体部と、前記掃除機本体部を着脱可能に支持するキャニスター部とを備え、
前記電源部は、前記掃除機本体部に設けられた第１電源部と、前記キャニスター部に設けられた第２電源部とで構成されていることを特徴とする。
【００５０】
これにより、１台の電気掃除機で３つの形態（ハンディ型掃除機、スティック型掃除機、キャニスター型掃除機）をとることができる。特に、ハンディ型掃除機やスティック型掃除機として使用する際には、第２電源部が設けられたキャニスター部を持ち上げる必要がないので、掃除機の重量を軽くすることができる。しかも、掃除機本体部に独立した第１電源部が設けられているので、ハンディ型掃除機あるいはスティック型掃除機として使用する際に、コードレスで使用することが可能となる。
【００５１】
さらに、キャニスター型掃除機として使用する際には、２つの電源部、即ち、掃除機本体部に設けられた第１電源部と、キャニスター部に設けられた第２電源部とを使用することができるので、電気掃除機をより長時間で使用することができる。
【００５２】
また、本発明に係る電気掃除機は、前記キャニスター部が、前記掃除機本体部の充電を行う複数の充電端子を備えていること、および、前記複数の充電端子が、前記キャニスター部の上面の後方に設けられた第１充電端子と、前記キャニスター部の上面の前方に設けられた第２充電端子とから構成され、前記第２充電端子が、前記第１充電端子よりも突出して設けられていることを特徴とする。
【００５３】
これにより、スティック型掃除機の状態で充電したり、収納したりすることができ、しかもスティック型掃除機を素早く使用することができる。
【００５４】
さらに、本発明に係る電気掃除機は、前記キャニスター部が、その外周面に沿って略Ｕ字形に形成されたホース収納部を備えていることを特徴とする。これにより、収納時に吸引ホースが大きくはみ出さないので、コンパクトな収納形態とすることができる。
【００５５】
さらにまた、本発明に係る電気掃除機は、前記掃除機本体部と前記キャニスター部との固定および固定解除を行う固定手段を備え、前記固定手段が、前記ハンドル部に設けられていることを特徴とする。これにより、掃除機本体部とキャニスター部の着脱を容易に行うことができる。
【符号の説明】
【００５６】
１…電気掃除機、１００…電気掃除機本体、１１０…掃除機本体部、１１１…円筒部、１１２ａ…内筒、１１２ｂ…集塵かご、１１２ｃ…流路ケース、１１３…集塵装置、１１４…送風装置、１１５：…ハンドル部、１１５ａ…連結管部、１１５ｂ…グリップ部、１１５ｃ…操作スイッチ、１１５ｄ…固定解除部、１１６…ファン、１１７…モーター、１１８…第１電源部、１１９…補助ブラシ、１２０…キャニスター部、１２１…収納部、１２２…接続部、１２３…第１充電端子、１２４…第２充電端子、１２５…ホース収納部、１２６…突出部、１２７…凹部、１４０…フィルタ、１４５…接続口、１７０…充電端子、１８０…大車輪、１８１…自在車輪、１９０…第２電源部、１９１…コードリール、１９２…電源コード、１９３…コンセントプラグ、１９５…電線、２００…吸引ホース、２１１…本体接続部、２１２…支持具、３００…手元ハンドル部、３１０…連結管部、３２０…グリップ部、３３０…操作スイッチ部、３４０…トリガースイッチ、３５０…固定解除部、４００…延長管、４１０…第１延長管、４２０…第２延長管、４３０…ロック解除ボタン、５００…吸口体、５１０…吸口本体、５２０…自在連結部、５２１…第１の腕部、５２２…第２の腕部、５３０…ロック機構、Ｐ１…中心軸。
【図１】
2016067459.tif 000003
【図２】
2016067459.tif 000004
【図３】
2016067459.tif 000005
【図４】
2016067459.tif 000006
【図５】
2016067459.tif 000007
【図６】
2016067459.tif 000008
【図７】
2016067459.tif 000009